(57)【要約】      （修正有）【課題】家庭用機器と利用者の簡素化されたコミュニケーション（交信）及びエネルギー的に効率的な家庭用機器の稼動方式を有した家庭用機器を提供する。【解決手段】ヒータ機器、熱ポンプ、温水提供器、冷暖房機器、換気機器などの家庭用機器Ｈ１であって、該家庭用機器Ｈ１は、パラメータ及び／又は設定値に基づいて該家庭用機器Ｈ１の個々のコンポーネントＫ１、Ｋ２、Ｋ３を制御するための制御ユニットＳＥと、外部のネットワークＮと通信し且つパラメータ及び／又は設定値を受信及び／又は送信するための通信インタフェースＳＳとを有し、パラメータ及び／又は設定値の変更は、前記通信インタフェースＳＳを介してのみ行われること。【選択図】図１
0003177514.tif 000002
【実用新案登録請求の範囲】
【請求項１】
ヒータ機器、熱ポンプ、温水提供器、冷暖房機器、換気機器などの家庭用機器（Ｈ１）であって、
該家庭用機器（Ｈ１）は、パラメータ及び／又は設定値に基づいて該家庭用機器（Ｈ１）の個々のコンポーネント（Ｋ）を制御するための制御ユニット（ＳＥ）と、外部のネットワーク（Ｎ）と通信し且つパラメータ及び／又は設定値を受信及び／又は送信するための通信インタフェース（ＳＳ）とを有し、
パラメータ及び／又は設定値の変更は、前記通信インタフェース（ＳＳ）を介してのみ行われること
を特徴とする家庭用機器。
【請求項２】
前記家庭用機器（Ｈ１）と前記外部のネットワーク（Ｎ）との間の通信は単方向性で行われること
を特徴とする、請求項１に記載の家庭用機器。
【請求項３】
前記家庭用機器（Ｈ１）と前記外部のネットワーク（Ｎ）との間の通信は双方向性で行われること
を特徴とする、請求項１に記載の家庭用機器。
【請求項４】
前記制御ユニット（ＳＥ）の前記通信インタフェース（ＳＳ）は、別の家庭用機器（Ｈ２、Ｈ３）と接続可能であること
を特徴とする、請求項１〜３のいずれか一項に記載の家庭用機器。
【請求項５】
ヒータ機器、熱ポンプ、温水提供器、冷暖房機器、換気機器などの少なくとも１つの家庭用機器（Ｈ１）と、少なくとも１つの移動ユニット（ＭＥ）とを備えて構成されるシステムであって、
少なくとも１つの送信器（Ｓ）及び／又は受信器（Ｅ）を有し、
前記移動ユニット（ＭＥ）は、パラメータ及び／又は設定値を検知するための検知ユニット（ＥＥ）と、パラメータ及び／又は設定値を評価するための評価ユニット（ＡＥ）と、パラメータ及び／又は設定値を変更するための変更ユニット（ＡＥＥ）とを有し、パラメータ及び／又は設定値の変更内容を前記家庭用機器（Ｈ１）の受信器（Ｅ）へ送信するよう構成されていること
を特徴とするシステム。
【考案の詳細な説明】
【技術分野】
【０００１】
（関連出願の記載）
本出願は、2011年４月８日出願のドイツ実用新案出願第 20 2011 005 027.0 号の優先権主張に基づくものであり、同出願の全記載内容は引用をもって本明細書に組み込み記載されているものとする。
【０００２】
本考案は、ヒータ機器、熱ポンプ、温水提供器、冷暖房（空調）機器、換気機器などの家庭用機器(Haustechnikgeraet)に関する。
【背景技術】
【０００３】
従来技術によれば、家庭用機器と利用者のコミュニケーション（交信）は、例えば開始時間又は希望温度を入力するために、機器自体における操作要素を介してか、又は無線遠隔操作装置若しくは赤外線遠隔操作装置を介して行われる。この際、利用者がその場にいることが必要とされている。
【０００４】
下記特許文献１は、ケーブルを介してＰＣ（パーソナルコンピュータ）及びインターネットへ接続可能である電子レンジオーブンを記載している。
【先行技術文献】
【特許文献】
【０００５】
【特許文献１】US 7,043,336 B2
【考案の概要】
【考案が解決しようとする課題】
【０００６】
上記背景技術から出発し、本考案の基礎を成す課題は、家庭用機器と利用者の簡素化されたコミュニケーション（やりとり）及びエネルギー的に効率的な家庭用機器の稼動方式を可能とする家庭用機器を創作することである。
【課題を解決するための手段】
【０００７】
本考案の第１の視点により、ヒータ機器、熱ポンプ、温水提供器、冷暖房（空調）機器、換気機器などの家庭用機器であって、該家庭用機器は、パラメータ(Parameter)及び／又は設定値(Einstellungen)に基づいて該家庭用機器の個々のコンポーネントを制御するための制御ユニットと、外部のネットワークと通信（コミュニケーション）し且つパラメータ及び／又は設定値を受信及び／又は送信するための通信インタフェースとを有し、パラメータ及び／又は設定値の変更は、前記通信インタフェースを介してのみ行われることを特徴とする家庭用機器が提供される。
【０００８】
また本考案の第２の視点により、ヒータ機器、熱ポンプ、温水提供器、冷暖房（空調）機器、換気機器などの少なくとも１つの家庭用機器と、少なくとも１つの移動ユニットとを備えて構成されるシステムであって、少なくとも１つの送信器及び／又は受信器を有し、前記移動ユニットは、パラメータ及び／又は設定値を検知するための検知ユニットと、パラメータ及び／又は設定値を評価するための評価ユニットと、パラメータ及び／又は設定値を変更するための変更ユニットとを有し、パラメータ及び／又は設定値の変更内容を前記家庭用機器の受信器へ送信するよう構成されていることを特徴とするシステムが提供される。
【考案の効果】
【０００９】
上記のごとく本考案の第１の視点において、家庭用機器は、パラメータ及び／又は設定値に基づいて該家庭用機器の個々のコンポーネントを制御するための制御ユニットと、外部のネットワークと通信し且つパラメータ及び／又は設定値を受信及び／又は送信するための通信インタフェースとを有する。この際、パラメータ及び／又は設定値の変更は、前記通信インタフェースを介してのみ行われる。このことは、家庭用機器或いは家庭用機器のコンポーネントの制御がネットワークを用いて行われるので、利用者がその場にいない場合でも家庭用機器（例えばヒータ機器）の操作が可能であるという長所を有する。この際、好ましくは前記制御は、通信インタフェースを介して家庭用機器と接続されており且つインターネットと接続可能であるＰＣ（パーソナルコンピュータ）を介して行われる。従って利用者は、自分のいる場所に依存しないでパラメータの変更を手動で行うことができる。この際、パラメータの変更は、通信インタフェースを介してのみ行われるので、家庭用機器自体における操作要素は不必要であり、このことは家庭用機器と利用者のコミュニケーション（交信）を簡素化してくれる。
【００１０】
従って上記課題に対応する効果、即ち、家庭用機器と利用者の簡素化されたコミュニケーション（交信）及びエネルギー的に効率的な家庭用機器の稼動方式を可能とする家庭用機器が達成される。
【考案を実施するための形態】
【００１１】
本考案の一実施形態では、通信インタフェースは制御ユニット内に配設されている。
【００１２】
本考案の別の有利な一実施形態では、通信インタフェースが、例えば家庭用機器に装着されているボックスの形式により、別体として家庭用機器に配設されている。
【００１３】
同様に制御ユニットは、好ましくは家庭用機器に接して又は機器の内部に装着されている。
【００１４】
本考案の別の一実施形態では、通信がプログラムを用いて自動的に行われる。それにより、家庭用機器の誤作動が該誤作動の発生時には迅速に確認されて排除されることが達成されている。この際、家庭用機器の稼動パラメータ及びエネルギー状態の、場所と人に依存しない常時評価（監視）は、エネルギー的に効率的でありその都度の要求に適合された稼動方式を可能としている。
【００１５】
本考案の有利な一実施形態では、家庭用機器と外部のネットワークとの間の通信が単方向性(unidirektional)で行われる。この場合、外部のネットワークは、例えば所定の稼動パラメータのような家庭用機器に対する命令を送信する。
【００１６】
本考案の別の有利な一実施形態では、家庭用機器と外部のネットワークとの間の通信が双方向性(bidirektional)で行われる。この場合、通信インタフェースを用いて家庭用機器のデータが読み出し可能である。このことは、例えばプログラムパラメータの遠隔診断又は更新を可能とする。
【００１７】
好ましくは、制御ユニットの通信インタフェースは別の家庭用機器と接続可能である。この際、複数の家庭用機器が、好ましくはグループ制御の対象としてまとめられる。本考案の一実施形態では、例えば複数のヒータ機器又は複数の換気機器のような複数の同種の機器がまとめられている。それによりこれらの家庭用機器の稼動が、最適な状態に互いに調整され、その都度の要求内容（要求プロフィール）に適合される。本考案の別の一実施形態では、複数の異なる家庭用機器が１つのグループにまとめられており、それにより全ての家庭用機器が場所と人に依存せずに制御可能である。
【００１８】
本考案の別の一実施形態では、制御ユニットが１つの家庭用機器に割り当てられており、他の家庭用機器は制御に関して前記１つの特定家庭用機器に依存している。
【００１９】
更に本考案の第２の視点において、ヒータ機器、熱ポンプ、温水提供器、冷暖房（空調）機器、換気機器などの少なくとも１つの家庭用機器と、少なくとも１つの移動ユニット（モバイルユニット）とを備えて構成されるシステムに関し、少なくとも１つの送信器及び／又は受信器を有し、前記移動ユニットは、パラメータ及び／又は設定値を検知するための検知ユニットと、パラメータ及び／又は設定値を評価するための評価ユニットと、パラメータ及び／又は設定値を変更するための変更ユニットとを有し、パラメータ及び／又は設定値の変更内容を前記家庭用機器の受信器へ送信するよう構成されている。
【００２０】
この際、情報の伝達は、好ましくは無線通信(Funk)を用いて行われる。本考案の別の一実施形態では、情報の伝達は有線通信(Leitung)を介して行われる。
【００２１】
上記のごとく、本考案において下記の好適な形態が可能である。下記形態１〜５は、実用新案登録請求の範囲の請求項１〜５に記載した各々の構成要件にも対応している。尚、実用新案登録請求の範囲に付記されている図面参照符号は、専ら本考案の理解の容易化のためのものであり、本考案を後続段落で説明する図示の実施例に限定するものではないことを付言する。
（形態１）前記第１の視点のとおり。
（形態２）前記家庭用機器と前記外部のネットワークとの間の通信は単方向性で行われることが好ましい。
（形態３）前記家庭用機器と前記外部のネットワークとの間の通信は双方向性で行われることが好ましい。
（形態４）前記制御ユニットの前記通信インタフェースは、別の家庭用機器と接続可能であることが好ましい。
（形態５）前記第２の視点のとおり。
【００２２】
以下、添付の図面に関連し、本考案の実施例について説明する。尚、以下の実施例は、本考案の理解の容易化のためのものであって、本考案の技術的思想を逸脱しない範囲において、当業者により実施可能な付加や置換、開示された各要素の選択ないし選択的組合せ等を排除することを意図するものではない。
【図面の簡単な説明】
【００２３】
【図１】本考案の一実施例における家庭用機器のブロック図である。
【図２】本考案の別の一実施例における家庭用機器のブロック図である。
【図３】本考案の別の一実施例における家庭用機器のブロック図である。
【実施例１】
【００２４】
図１は、本考案の一実施例における家庭用機器Ｈ１のブロック図を示している。コンポーネントＫ１、Ｋ２、Ｋ３を備えた家庭用機器Ｈ１は制御ユニットＳＥを有し、該制御ユニットＳＥは、該家庭用機器Ｈ１のコンポーネントＫ１、Ｋ２、Ｋ３を制御する。制御ユニットＳＥは、外部のネットワークＮと通信するための通信インタフェースＳＳを有している。この際、図１ａでは、通信インタフェースＳＳは制御ユニットＳＥ内に配設されている。図１ｂでは、別個の通信インタフェースＳＳが設けられている。双方の場合においてインタフェースＳＳを介し、制御ユニットＳＥと外部のネットワークＮとの間でパラメータ及び／又は設定値が交換され、変更される。この際、パラメータ及び／又は設定値の変更は、通信インタフェースＳＳを介してのみ行われ、それにより家庭用機器Ｈ１において操作要素は設けられていない。
【実施例２】
【００２５】
図２は、本考案の別の一実施例における家庭用機器のブロック図を示している。この実施例において、制御ユニットＳＥは、コンポーネントＫ１、Ｋ２を備えた家庭用機器Ｈ１と、コンポーネントＫ３、Ｋ４を備えた家庭用機器Ｈ２と、コンポーネントＫ５、Ｋ６を備えた家庭用機器Ｈ３と接続されており、これらの家庭用機器を制御する。制御ユニットＳＥは、外部のネットワークＮと通信するための通信インタフェースＳＳを有している。従って家庭用機器Ｈ１、Ｈ２、Ｈ３は、場所と人に依存せずに制御可能であり、これらの家庭用機器の稼動は、最適な状態に互いに調整され、その都度の要求内容（要求プロフィール）に適合されている。
【実施例３】
【００２６】
図３は、本考案の別の一実施例における家庭用機器Ｈ１のブロック図を示している。家庭用機器Ｈ１は、送信器Ｓ１と受信器Ｅ１を有している。更に移動ユニット（モバイルユニット）ＭＥが設けられている。移動ユニットＭＥは、パラメータ及び／又は設定値を検知するための検知ユニットＥＥと、パラメータ及び／又は設定値を評価するための評価ユニットＡＥと、パラメータ及び／又は設定値を変更するための変更ユニットＡＥＥとを有ている。移動ユニットＭＥは、更に受信器Ｅ２と送信器Ｓ２を有しており、家庭用機器Ｈ１の受信器Ｅ１へとパラメータ及び／又は設定値の変更内容を送信するように構成されている。例えば家庭用機器Ｈ１が送信器Ｓ１を用いて、例えば温度値のようなパラメータを移動ユニットＭＥの受信器Ｅ２へ送信すると、このパラメータは、受信器Ｅ２を介して移動ユニットＭＥの検知ユニットＥＥにおいて検知され、評価ユニットＡＥにおいて評価される。このパラメータが変更されるべき場合、即ち例えば温度値が増加又は減少されるべき場合には、この変更が移動ユニットＭＥの変更ユニットＡＥＥにより行われ、送信器Ｓ２を用いて家庭用機器Ｈ１の受信器Ｅ１へと送信される。従ってこのパラメータの変更は、移動ユニットＭＥを用いてのみ行われ、それにより家庭用機器Ｈ１自体において別個の操作要素は不必要である。非図示の一実施例では、移動ユニットＭＥの受信器Ｅ２と家庭用機器Ｈ１の送信器Ｓ１が省略されており、それにより移動ユニットＭＥは、予めパラメータを家庭用機器Ｈ１から受信することなく、変更ユニットＡＥＥを用いて変更を行う。従ってこの場合、移動ユニットＭＥと家庭用機器Ｈ１との間の通信は単方向性である。この場合、パラメータ及び／又は設定値の伝達、又はパラメータ及び／又は設定値の変更は、好ましくは無線通信(Funk)を用いて又は有線通信(Leitung)を介して行われる。
【００２７】
本考案の全開示（請求の範囲を含む）の枠内において、さらにその基本的技術思想に基づいて、実施形態ないし実施例の変更・調整が可能である。また、本考案の請求の範囲の枠内において種々の開示要素（各請求項の各要素、各実施例の各要素、各図面の各要素等を含む）の多様な組み合わせ、ないし、選択が可能である。即ち本考案は、請求の範囲を含む全開示、技術的思想にしたがって当業者であればなし得るであろう各種変形、修正を含むことは勿論である。
【符号の説明】
【００２８】
Ｈ１    家庭用機器
Ｈ２    家庭用機器
Ｈ３    家庭用機器
Ｋ１    コンポーネント
Ｋ２    コンポーネント
Ｋ３    コンポーネント
Ｋ４    コンポーネント
Ｋ５    コンポーネント
Ｋ６    コンポーネント
ＳＥ    制御ユニット
ＳＳ    通信インタフェース
Ｓ１    送信器
Ｅ１    受信器
ＭＥ    移動ユニット（モバイルユニット）
Ｓ２    送信器
Ｅ２    受信器
ＥＥ    検知ユニット
ＡＥ    評価ユニット
ＡＥＥ  変更ユニット
Ｎ      外部のネットワーク
【図１】
0003177514.tif 000003
【図２】
0003177514.tif 000004
【図３】
0003177514.tif 000005
【手続補正書】
【提出日】平成24年6月1日(2012.6.1)
【手続補正１】
【補正対象書類名】実用新案登録請求の範囲
【補正対象項目名】請求項１
【補正方法】変更
【補正の内容】
【請求項１】
ヒータ機器、熱ポンプ、温水提供器、冷暖房機器、換気機器などの家庭用機器（Ｈ１）であって、
該家庭用機器（Ｈ１）は、パラメータ及び／又は設定値に基づいて該家庭用機器（Ｈ１）の個々のコンポーネント（Ｋ）を制御するための制御ユニット（ＳＥ）と、外部のネットワーク（Ｎ）と通信し且つパラメータ及び／又は設定値を受信及び／又は送信してパラメータ及び／又は設定値の変更を独占的に可能とする通信インタフェース（ＳＳ）とを有すること
を特徴とする家庭用機器。
【手続補正２】
【補正対象書類名】明細書
【補正対象項目名】０００７
【補正方法】変更
【補正の内容】
【０００７】
本考案の第１の視点により、ヒータ機器、熱ポンプ、温水提供器、冷暖房（空調）機器、換気機器などの家庭用機器であって、該家庭用機器は、パラメータ(Parameter)及び／又は設定値(Einstellungen)に基づいて該家庭用機器の個々のコンポーネントを制御するための制御ユニットと、外部のネットワークと通信（コミュニケーション）し且つパラメータ及び／又は設定値を受信及び／又は送信してパラメータ及び／又は設定値の変更を独占的に可能とする通信インタフェースとを有することを特徴とする家庭用機器が提供される。